(57)【要約】      （修正有）【課題】着用感を損ねることなくバストカップのサイズを女性の実際のバストサイズよりも豊かに見せるとともに、バスト形状を理想とする形状に近づけることが可能なバストパッド及びバストカップを提供する。【解決手段】バストパッド１０は、人体外側から順に外面層１３、中空層１５、内面層１４からなる。外面層１３は、人体のバスト形状に対して所定のサイズの大きさを有し、バストトップ位置をポイントとするバスト形状を所望の外面形状に形成した保形性を有する外面形成体である。また、内面層１４は、その周縁部が外面層１３の周縁部と一体化されることで機能的に協働し、人体のバスト基底を保持しつつバスト基底を前記人体の中央部寄り且つ上方の位置に設定した基礎を形成する基礎形成体である。中空層１５は、内面層１４の外面形状と外面層１３の内面形状との間隙を補充するものである。【選択図】図１
0003188983.tif 000002
【実用新案登録請求の範囲】
【請求項１】
バストカップ部を有する女性用衣料に用いられるバストパッドにおいて、
前記バストカップ部を形成する前記女性用衣料におけるバストカップ構成をパディッド構成体とする前記バストパッドは人体外側から順に外面層、中空層、内面層からなり、
前記外面層は、前記人体のバスト形状に対して所定のサイズの大きさを有し、且つ、前記内面層と一体化されることで機能的に協働し、前記人体のバスト基底を前記人体の中央部寄り且つ上方の位置へ移動させた基礎の上に、バストトップ位置をポイントとするバスト形状を所望の外面形状に形成した保形性を有する外面形成体であり、
前記内面層は、前記人体のバスト形状に適合した形状に弾性的に変形し且つ保持可能であるとともに、その周縁部が前記外面層の周縁部と一体化されることで機能的に協働し、前記人体のバスト基底を保持しつつ当該バスト基底を前記人体の中央部寄り且つ上方の位置に設定した基礎を形成する基礎形成体であり、
前記中空層は、前記基礎形成体としての内面層の外面形状と前記外面形成体としての外面層の内面形状との間隙を補充するとともに、前記人体のバスト形状に適合した形状に弾性的に変形可能な内面層の調整領域として機能することを特徴とするバストパッド。
【請求項２】
前記バストパッドは、前記バストカップ部に配置されるバストパッド体と、当該バストパッド体に隣接する身頃体の一部又は全部とを一体的に形成した身頃一体型であることを特徴とする請求項１に記載のバストパッド。
【請求項３】
前記バストパッドは、前記バストカップ部に配置されるバストパッド体と、当該バストパッド体を身頃体と接続するための接続代とを備えたキャップ型であることを特徴とする請求項１に記載のバストパッド。
【請求項４】
前記外面層は、合成樹脂製発泡体、ラテックス、ファイバーフィル、ダブルラッセル編地のいずれかからなることを特徴とする請求項１乃至３のいずれかに記載のバストパッド。
【請求項５】
前記内面層は、伸張性及び弾力性を有する合成樹脂製発泡体、通気性を有するダブルラッセル編地、柔軟性を有するニット編地、吸汗性を有するパイル編地のいずれかからなることを特徴とする請求項１乃至４のいずれかに記載のバストパッド。
【請求項６】
前記内面層としては、人体乳房に順応し保持する伸張度及び弾性を損なうことがなく、衛生面、ソフト性、機能性等の向上を図る発泡体乃至はその他素材との重ね合わせ又は張り合わせからなるものを用いたことを特徴とする請求項１乃至４のいずれかに記載のバストパッド。
【請求項７】
前記外面層及び内面層は、その周縁部の一部に一体化されていない領域を有していることを特徴とする請求項１乃至６のいずれかに記載のバストパッド。
【請求項８】
前記外面層は、前記内面層のサイズに対して所定サイズ大きいＪＩＳ規格のサイズを有し、前記バストカップ部の表面形状を保持する保形性を備えていることを特徴とする請求項１乃至７のいずれかに記載のバストパッド。
【請求項９】
前記バストパッドは、外面層のＪＩＳ規格サイズ及び内面層のＪＩＳ規格サイズの双方により識別されることを特徴とする請求項８に記載のバストパッド。
【請求項１０】
前記外面層は、前記人体のバストの体側部側がバスト中央部に比較して保形性が高まるように設定され、前記内面層を介して前記人体のバストを中央部寄りで、且つ上方に設定、移動を図る機能を有していることを特徴とする請求項１乃至９のいずれかに記載のバストパッド。
【請求項１１】
前記内面層の前記人体のバストの体側部側に位置する周縁部は、前記外面層の周縁部と略平板状に接合されているとともに、前記外面層と接合された周縁部の内側は、所定の幅にわたって保形性が付与されていることを特徴とする請求項１乃至１０のいずれかに記載のバストパッド。
【請求項１２】
バストカップ部を有する女性用衣料に用いられるバストカップであって、前記バストカップ部に配置されるバストパッドと当該バストパッドに隣接する身頃体の一部又は全部を一体的に形成したバストカップにおいて、
前記バストカップ部を形成する前記女性用衣料におけるバストカップ構成をパディッド構成体とする前記バストパッドは人体外側から順に外面層、中空層、内面層からなり、
前記外面層は、前記人体のバスト形状に対して所定のサイズの大きさを有し、且つ、前記内面層と一体化されることで機能的に協働し、前記人体のバスト基底を前記人体の中央部寄り且つ上方の位置へ移動させた基礎の上に、バストトップ位置をポイントとするバスト形状を所望の外面形状に形成した保形性を有する外面形成体であり、
前記内面層は、前記人体のバスト形状に適合した形状に弾性的に変形し且つ保持可能であるとともに、その周縁部が前記外面層の周縁部と一体化されることで機能的に協働し、前記人体のバスト基底を保持しつつ当該バスト基底を前記人体の中央部寄り且つ上方の位置に設定した基礎を形成する基礎形成体であり、
前記中空層は、前記基礎形成体としての内面層の外面形状と前記外面形成体としての外面層の内面形状との間隙を補充するとともに、前記人体のバスト形状に適合した形状に弾性的に変形可能な内面層の調整領域として機能することを特徴とするバストカップ。
【考案の詳細な説明】
【技術分野】
【０００１】
この考案は、ブラジャー、ボディスーツ、ボディスリップ、レオタード等のファンデーションやカップ付きドレス等の女性用衣料においては、ボディスリップ並びにドレス等のカップ付き女性用衣料に用いられるバストパッド及びバストカップに関するものである。
【背景技術】
【０００２】
従来、上記ブラジャー、ボディスーツ、ボディスリップ並びにレオタードやドレス等のカップ付き女性用衣料においては、ファンデーションガーメントの最も主体となる部位を形成するものとしての、バストの形状を保持し、バストの補整効果を高めるために、バストパッド及び当該バストパッドを芯体としたバストカップが使用されている。
【０００３】
上記バストパッドを作製するには、1)カットアンドソー、2)金型発泡、3)金型プレス、4)射出成型等の方式が有り、現状は生産性並びに多様性等の観点から多くが金型プレス方式を採用している。
【０００４】
ところで、上記ブラジャーやボディスーツ等の女性用衣料に用いられるバストパッドに関しては、バストの形状を保持し、バストの補整効果を高めるため、或いは着用感を向上させるために、様々な技術が既に提案されており、実際に製品化されてもいる。
【０００５】
かかるバストパッドやバストカップに関して、バストの補整効果や着用感を向上させるための技術として、既に種々のものが開示されている。
【０００６】
一方、このように種々の技術が既に提案されている女性用衣料のバストカップ又はバストパッドは、ＪＩＳ規格に基づいて種々のサイズに分類されている。ＪＩＳ規格は、アンダーバスト寸法（胴囲寸法）を、上下２．５ｃｍを対応領域とする７０．７５．８０．・・・等のサイズ分類とし、当該アンダーバスト寸法とトップバスト（乳頭囲寸法）との差を、乳房高寸法としＡ．Ｂ．Ｃ．・・・とのサイズに分類して表示している。
【先行技術文献】
【特許文献】
【０００７】
【特許文献１】実公昭６２−２０４１０号公報
【特許文献２】特開昭５５−１５８３０５号公報
【特許文献３】実開平２−７４３１２号公報
【考案の概要】
【考案が解決しようとする課題】
【０００８】
しかし、上記従来技術の場合には、次のような問題点を有している。すなわち、上記従来のバストパッドの場合には、不織布や発泡ウレタンなどを素材として用い、これらの不織布や発泡ウレタン等の一部を切削（スライス）したものをモールド成型することによって所定の形状に形成されたものであり、着用する女性によっては、バストの補整効果を十分に得難いという技術的課題を有していた。
【０００９】
更に説明すると、上記ブラジャー等の女性用衣料を着用する女性には、様々なニーズがあり、ブラジャー等を着用することによって単にバストの外観形状を美しく見せたいという要求の他に、バストサイズを実際のバストよりも豊かに見せたいという要求があるが、こうしたバストサイズを実際のバストよりも豊かに見せるとともに、バスト形状を理想とする形状に近づけたいという要求には応え難いものであった。
【００１０】
そこで、この考案は、上記従来技術の課題を解決するものであり、その目的とするところは、着用感を損ねることなくバストカップのサイズを女性の実際のバストサイズよりも豊かに見せるとともに、バスト形状を理想とする形状に近づけることが可能なバストパッド及びバストカップを提供することにある。
【課題を解決するための手段】
【００１１】
この考案は、上記課題を解決するため、次のような技術的手段を採用している。すなわち、請求項１に記載された考案は、バストカップ部を有する女性用衣料に用いられるバストパッドにおいて、
前記バストカップ部を形成する前記女性用衣料におけるバストカップ構成をパディッド構成体とする前記バストパッドは人体外側から順に外面層、中空層、内面層からなり、
前記外面層は、前記人体のバスト形状に対して所定のサイズの大きさを有し、且つ、前記内面層と一体化されることで機能的に協働し、前記人体のバスト基底を前記人体の中央部寄り且つ上方の位置へ移動させた基礎の上に、バストトップ位置をポイントとするバスト形状を所望の外面形状に形成した保形性を有する外面形成体であり、
前記内面層は、前記人体のバスト形状に適合した形状に弾性的に変形し且つ保持可能であるとともに、その周縁部が前記外面層の周縁部と一体化されることで機能的に協働し、前記人体のバスト基底を保持しつつ当該バスト基底を前記人体の中央部寄り且つ上方の位置に設定した基礎を形成する基礎形成体であり、
前記中空層は、前記基礎形成体としての内面層の外面形状と前記外面形成体としての外面層の内面形状との間隙を補充するとともに、前記人体のバスト形状に適合した形状に弾性的に変形可能な内面層の調整領域として機能することを特徴とするバストパッドである。
【００１２】
また、請求項２に記載された考案は、前記バストパッドは、前記バストカップ部に配置されるバストパッド体と、当該バストパッド体に隣接する身頃体の一部又は全部とを一体的に形成した身頃一体型であることを特徴とする請求項１に記載のバストパッドである。
【００１３】
さらに、請求項３に記載された考案は、前記バストパッドは、前記バストカップ部に配置されるバストパッド体と、当該バストパッド体を身頃体と接続するための接続代とを備えたキャップ型であることを特徴とする請求項１に記載のバストパッドである。
【００１４】
又、請求項４に記載された考案は、前記外面層は、合成樹脂製発泡体、ラテックス、ファイバーフィル、ダブルラッセル編地のいずれかからなることを特徴とする請求項１乃至３のいずれかに記載のバストパッドである。
【００１５】
更に、請求項５に記載された考案は、前記内面層は、伸張性及び弾力性を有する合成樹脂製発泡体、通気性を有するダブルラッセル編地、柔軟性を有するニット編地、吸汗性を有するパイル編地のいずれかからなることを特徴とする請求項１乃至４のいずれかに記載のバストパッドである。
【００１６】
また、請求項６に記載された考案は、前記内面層としては、人体乳房に順応し保持する伸張度及び弾性を損なうことがなく、衛生面、ソフト性、機能性等の向上を図る発泡体乃至はその他素材との重ね合わせ又は張り合わせからなるものを用いたことを特徴とする請求項１乃至４のいずれかに記載のバストパッドである。
【００１７】
さらに、請求項７に記載された考案は、前記外面層及び内面層は、その周縁部の一部に一体化されていない領域を有していることを特徴とする請求項１乃至６のいずれかに記載のバストパッドである。
【００１８】
又、請求項８に記載された考案は、前記外面層は、前記内面層のサイズに対して所定サイズ大きいＪＩＳ規格のサイズを有し、前記バストカップ部の表面形状を保持する保形性を備えていることを特徴とする請求項１乃至７のいずれかに記載のバストパッドである。
【００１９】
更に、請求項９に記載された考案は、前記バストパッドは、外面層のＪＩＳ規格サイズ及び内面層のＪＩＳ規格サイズの双方により識別されることを特徴とする請求項８に記載のバストパッドである。
【００２０】
また、請求項１０に記載された考案は、前記外面層は、前記人体のバストの体側部側がバスト中央部に比較して保形性が高まるように設定され、前記内面層を介して前記人体のバストを中央部寄りで、且つ上方に設定、移動を図る機能を有していることを特徴とする請求項１乃至９のいずれかに記載のバストパッドである。
【００２１】
さらに、請求項１１に記載された考案は、前記内面層の前記人体のバストの体側部側に位置する周縁部は、前記外面層の周縁部と略平板状に接合されているとともに、前記外面層と接合された周縁部の内側は、所定の幅にわたって保形性が付与されていることを特徴とする請求項１乃至１０のいずれかに記載のバストパッドである。
【００２２】
又、請求項１２に記載された考案は、バストカップ部を有する女性用衣料に用いられるバストカップであって、前記バストカップ部に配置されるバストパッドと当該バストパッドに隣接する身頃体の一部又は全部を一体的に形成したバストカップにおいて、
前記バストカップ部を形成する前記女性用衣料におけるバストカップ構成をパディッド構成体とする前記バストパッドは人体外側から順に外面層、中空層、内面層からなり、
前記外面層は、前記人体のバスト形状に対して所定のサイズの大きさを有し、且つ、前記内面層と一体化されることで機能的に協働し、前記人体のバスト基底を前記人体の中央部寄り且つ上方の位置へ移動させた基礎の上に、バストトップ位置をポイントとするバスト形状を所望の外面形状に形成した保形性を有する外面形成体であり、
前記内面層は、前記人体のバスト形状に適合した形状に弾性的に変形し且つ保持可能であるとともに、その周縁部が前記外面層の周縁部と一体化されることで機能的に協働し、前記人体のバスト基底を保持しつつ当該バスト基底を前記人体の中央部寄り且つ上方の位置に設定した基礎を形成する基礎形成体であり、
前記中空層は、前記基礎形成体としての内面層の外面形状と前記外面形成体としての外面層の内面形状との間隙を補充するとともに、前記人体のバスト形状に適合した形状に弾性的に変形可能な内面層の調整領域として機能することを特徴とするバストカップである。
【考案の効果】
【００２３】
この考案によれば、着用感を損ねることなくバストカップのサイズを女性の実際のバストサイズよりも豊かに見せるとともに、バスト形状を理想とする形状に近づけることが可能なバストパッド及びバストカップを提供することができる。
【図面の簡単な説明】
【００２４】
【図１】この考案の実施の形態１に係るバストパッドを示す断面構成図である。
【図２】この考案の実施の形態１に係るバストパッドを適用したブラジャーを示す斜視構成図である。
【図３】この考案の実施の形態１に係るバストパッドを適用したブラジャーのバストカップ部を示す平面構成図及び断面構成図である。
【図４】この考案の実施の形態１に係るバストパッドの変形例を示す断面構成図である。
【図５】この考案の実施の形態１に係るバストパッドの更なる変形例を示す断面構成図である。
【図６】バスト基底部の移動状態を示す説明図である。
【図７】この考案の実施の形態１に係るバストパッドを示す着用状態の断面構成図である。
【図８】この考案の実施の形態１に係るバストパッドの着用状態を示す模式図である。
【図９】この考案の実施の形態２に係るバストパッドを示す平面構成図及び断面構成図である。
【図１０】この考案の実施の形態３に係るバストパッドを適用したブラジャーを示す構成図である。
【図１１】この考案の実施の形態４に係るバストパッドを示す断面構成図である。
【考案を実施するための形態】
【００２５】
以下に、この考案の実施の形態について図面を参照して説明する。
【００２６】
実施の形態１
図２はこの考案の実施の形態１に係るバストカップ及びバストパッドを適用した女性用衣料としてのブラジャーを示すものである。本実施の形態１は、十分なフィット性を求めることから、三次元形成を前提とするが、バストパッドがキャップ体（バスト基底部の範囲）である場合は準二次元形成であっても良い。
尚、本実施の形態において、バストパッドとは、バストカップ部を形成する女性用衣料におけるバストカップ構成をパディッド構成体としたものである。
【００２７】
図２において、１は女性用衣料としてのブラジャーを示すものであり、このブラジャー１は、女性の体のバスト部分をそれぞれ覆う左右のバストカップ部２、３を備えている。これら左右のバストカップ部２、３は、その人体中央部において縫着等の手段によって互いに連結されているとともに、左右のバストカップ部２、３の体側部側には、女性の体の背面側で互いに係止される伸縮性を有する生地からなる左右の側布４、５がそれぞれ縫着されている。これら左右の側布４、５の先端部４ａ、５ａには、アイ６やフック７等からなる係止具が、縫着等の手段によって取り付けられている。また、上記左右のバストカップ部２、３の上端部には、女性の肩に掛けるストラップ８、９が側布４、５の背面側との間にわたってそれぞれ装着されている。
【００２８】
上記左右のバストカップ部２、３は、図３（ｂ）に示すように、バストパッド１０と、バストパッド１０の表裏両面を被覆する伸張性の高い生地からなる表地１１及び裏地１２とを備えており、バストパッド１０の表裏両面を表地１１及び裏地１２で被覆した状態で縫製し、更に人体の中央部において縫着等の手段により互いに連結されている。なお、バストパッド１０の体側部側の端部及び人体中央部側の端部は、その裏面側に配置されたバイアステープ等の裏当て部材１８、１９を介して側布４及び他方のバストパッド１０と縫着されている。
【００２９】
また、この実施の形態１に係るバストパッド１０は、図３（ａ）に示すように、左右のバストに対応したバストパッド１０のみではなく、バストパッド１０と当該バストパッド１０に隣接する身頃体２１が一体的に形成されたバストカップ２０として構成されている。このバストカップ２０は、表地１１及び裏地１２を含めて左右のバストカップ部２、３を構成するものである。身頃体２１は、バストパッド１０の人体中央部側に位置する中央部身頃体２１ａと、バストパッド１０の下部に位置する下辺身頃体２１ｂと、バストパッド１０の体側部側に位置する体側部身頃体２１ｃとを備えている。なお、バストパッド１０と一体的に形成される身頃体２１は、中央部身頃体２１ａ、下辺身頃体２１ｂ及び体側部身頃体２１ｃのすべてからなる必要は必ずしもなく、バストパッド１０の周囲に配置される身頃体の一部からなるものであっても勿論よい。また、バストパッド１０は、身頃体１２を備えず単独で構成されていても勿論良い。なお、バストカップ２０は、左右のバストカップ２０が個別に形成されているが、左右のバストカップ２０を一体的に形成しても良い。
【００３０】
上記バストパッド１０（バストカップ２０）は、原則としてポリウレタン等の発泡体からなり、当該発泡体の発泡密度や弾力性、柔軟性、並びに厚さ等は、造形性の質感によって異なるものであって限定されるものではない。上記バストパッド１０（バストカップ２０）は、図１及び図３に示すように、大別して、人体の外側に位置する外面層１３と、内面（人体）側に位置する内面層１４と、両者の間に形成された中空層（空気層）１５とからなる三層構造を有している。外面層１３は、内面層１４のサイズの規格よりも所定のサイズだけ大きい規格（ＪＩＳ規格）に形成されている。ここで、所定のサイズとは、人体のバストに対応した内面層サイズの着用者が、容易に視覚的且つ理解できるＪＩＳサイズ（大きさ）である。即ち、外面層１３は、人体寸法（ＪＩＳ規格に基づくサイズ）をベースにカップサイズが決定される内面層１４のサイズよりも所定のサイズ（ＪＩＳ規格に基づくサイズ）だけ大きい規格に設定されている。図１に示すように、ブラジャー１を着用する女性のバスト１８のサイズが例えばＡ７０の規格（ＪＩＳ規格）に対応したサイズである場合、外側の外面層１３は、その外面形状が所定のサイズ（例えば、２サイズ）だけ大きいＣ７０に対応した形状に形成されている。但し、所定のサイズは、２サイズに限定されるものではなく、１サイズ又は３サイズ以上であっても良いが、１サイズは通常外面層１３の厚さで対応することが可能である。しかしながら、必ずしも外面層１３に厚みが形成できないバストパッド１０の組成体又は構成体の場合や、三重構造による外面層１３の剛に対し内面層１４の柔を求める場合等においては、この限りで無い。
【００３１】
ここで、ＪＩＳ規格は、上述したように、アンダーバスト寸法（胴囲寸法）を、上下２．５ｃｍを対応領域とする７０．７５．８０．・・・等のサイズ分類とし、当該アンダーバスト寸法とトップバスト（乳頭囲寸法）との差を、乳房高寸法としＡ．Ｂ．Ｃ．・・・とのサイズに分類して表示したものである。
【００３２】
本実施の形態に係るバストパッド１０は、着用者（人体）の体型にフィットすることを大前提とする内面層１４の構成であると同時に、当該内面層１４は、ＪＩＳ規格に準ずるサイズ分類を前提とするものである。また、外面層１４は、着用者が識別可能なことを前提とするＪＩＳ規格に準ずるバストサイズ分類を前提とするものであり、着用者が求めるバストアップ量と形状を有する。したがって、上記バストパッド１０を装着したブラジャー１としては、着用者の人体寸法（ＪＩＳ規格に基づくサイズ）をベースに決定されるカップサイズと、バストパッド１０の外面層１４が有するＪＩＳ規格に準ずるバストサイズ及び／又は形状が表示される。ここで、外面層１４の形状としては、例えば、半球状やベル状等が挙げられる。
【００３３】
外面層１３は、保形性を有しており、例えば、厚さ３〜２０ｍｍ程度に設定されている。外面層１３は、例えば、一様な厚さのシート体を材料として後述するようにモールド成型により加熱・加圧成形されるが、これに限らず、スライス加工した後にプレス加工を施したものであっても良い。外面層１３は、所定の形状を保持する保形性を有していれば良く、ハード性は要求されず、むしろ所定の形状を保持する保形性を有していれば圧縮率を低く設定するか、又は素材そのものの形状からなる柔軟なものであることが望ましい。
【００３４】
この実施の形態では、外面層１３の材料として、発泡ポリウレタン層の表面（外面）に黄変防止と滑り感を高める目的でトリコット地等からなる図示しない生地を積層した二層構造のものを用いている。また、外面層１３としては、合成樹脂製発泡体から成るもの以外に、ラテックス、ファイバーフィル、ダブルラッセル編地等の素材を採用しても良い。
【００３５】
外面層１３は、顧客が目標とするバストのサイズアップを図る外面形成体であり、当該外面層１３の外面形状は、例えば、ＡサイズからツートップアップしたＣカップサイズや、ＡＡサイズからツートップアップしたＢカップサイズ、あるいはＡＡサイズからスリートップアップしたＣカップサイズ等に設定されている。
【００３６】
図４及び図５は、内面層１４のカップサイズに対して外面層１３のカップサイズがスリーサイズアップ及びフォーサイズアップに形成したバストカップ１０をそれぞれ示している。
【００３７】
また、外面層１３は、図３に示すように、その周縁部１３ａの少なくとも一部（図示例２では全周）が内面層１４の周縁部１４ａと一体化されることで機能的に協働し、人体のバスト形状に対して目標とする外面形状を形成する外面形成体である。更に説明すると、外面層１３は、図３（ａ）に示すように、その身頃体２１ａ、２１ｂ、２１ｃに相当する周縁部１３ａ（同図において格子状のハッチングが施された領域）が内面層１４の周縁部１４ａと一体的に形成されている。さらに、外面層１３は、その身頃体２１ａ、２１ｂ、２１ｃの内側に位置する周縁部１３ｂ（同図において斜線からなるハッチングが施された領域）が内面層１４の周縁部１４ｂと一体化されている。尚、図３（ｂ）において、符号Ａはバスト一体化領域を、符号Ｂは身頃一体化領域をそれぞれ示している。外面層１３は、単に、バストのサイズアップを図るのみではなく、人体のバスト１８の形状を理想とするバストトップのシルエットアップ機能を果たすものである。この実施の形態の外面層１３は、着用者のバストトップＴの位置をポイントとするバスト形状を人体の中央部側に寄せ、且つ上方に移動させた位置Ｐとなるなど、現時代に相応する理想的なシルエット形状を有する所望の表面形状に設定している。したがって、上記バストパッド１０は、単に、バストのサイズアップを図る従来のバストパッドと基本的な設計思想を異にするものである。
【００３８】
また、外面層１３は、バストトップ部Ｐの近傍が最も厚く周縁部に行くに従って徐々に薄くなる断面形状を有しており、周縁部１３ａ、１３ｂは剛性を有する薄い平板状をなしている。また、外面層１３の外周縁の端部は、テーパー状に薄く形成されており、バイヤステープ等からなる裏当て部材１８、１９と容易に縫着することが可能な仕上部（始末部）を構成している。さらに、上記外面層１３の周縁部１３ａ、１３ｂは、図３（ａ）に示すように、人体のバスト下部から体側部側に渡る領域１３ｃは、人体のバスト１８の下部から体側部に渡る領域を押えることでバスト１８の基底部を人体の上部且つ中央部寄りに移動させるため、人体のバスト形状よりも人体の上部且つ中央部寄りに位置するようにやはり剛性を有する略平板状に形成されている。
【００３９】
一方、内面層１４は、図１に示すように、その周縁部１４ａの少なくとも一部、図示例では周縁部１４ａ及びその内側に位置する周縁部１４ｂが外面層１３の周縁部１３ａ、１３ｂと一体化されることで機能的に協働するとともに、その中央部１４ｃが人体のバスト１８の形状に適合した形状に弾性的に変形可能に構成されている。また、内面層１４は、その中央部１４ｃが略平坦状又は蒲鉾状に形成されているとともに、周縁部１４ａ、１４ｂが薄くなるように形成されている。内面層１４は、例えば、連続気泡を有する低反発弾性ウレタンフォーム（高密度ポリウレタンフォーム）、及び原則として高密度ポリウレタンフォームの特性に準する特性を備える材料からなる。内面層１４の厚さは、例えば、５．０〜１５．０ｍｍ程度に設定される。この実施の形態では、内面層１４の材料として例えば厚さが５．０〜１５．０ｍｍ程度の低反発弾性ウレタンフォームを用いている。内面層１４は、その中央部１４ｃの厚さが材料となる低反発弾性ウレタンフォームそのものの厚さと等しい値に設定されており、その周縁部１４ａの厚さが０．５〜２．０ｍｍ程度に設定されている。また、内面層１４の周縁部１４ａの外周端部は、テーパー形状に徐々に厚さが薄くなるよう形成するのが望ましい。
【００４０】
また、内面層１４は、伸張性及び弾力性を有する合成樹脂製発泡体、シリコンゴム、通気性を有するダブルラッセル編地、柔軟性を有するニット編地、吸汗性を有するパイル編地などから構成しても良い。
【００４１】
さらに、内面層１４としては、人体乳房に順応し保持する伸張度及び弾性を損なうことがなく、衛生面、ソフト性、機能性等の向上を図る発泡体乃至はその他素材との重ね合わせ又は張り合わせからなるものを用いても良い。
【００４２】
なお、内面層１４は、その周縁部１４ａの少なくとも一部、例えば、周縁部１４ａの上縁（周縁上部）を外面層１３の周縁部１３ａと一体化させない非一体化部とするように構成しても良い。この場合は、図８に示すように、３／４カップや１／２カップなどにおいて、バストの引き上げ量によっては、外面層１３のカップイコール内面層上部に間隙が生じる虞れがあり、カップの上縁部においては、内面層１４の周縁部１４ａと外面層１３の周縁部１３ａとを一体化させない（分離した状態とする）方が望ましい。その理由は、内面層１４の上部に位置する周縁部１４ａがフリー状態の方が内面層周縁部の拡張量が拡大しバストを押え込むことを回避することができるためである。
【００４３】
また、内面層１４は、例えば、最終的に外面層１４と一体的に接合されるときに、外周端から内側に位置する周縁部の約４０％の幅に渡る領域を外面層１３に圧着させるとともに加圧成形し、残りの領域を材料となる低反発弾性ウレタンフォームそのもののからなる略平坦なフラットな領域とし、人体へのフィット性を高めたセミ成形体である。また、上記内面層１４の体側部側に位置する周縁部１４ｂは、外面層１３の周縁部１３ｂと接合することにより所定の幅にわたって略平板状に形成されることにより保形性が付与されている。
【００４４】
また、上記内面層１４は、その人体中央部側の周縁部１４ｂに位置する領域が所定の幅にわたって外面層１３の周縁部１３ｂと一体化されている。また、内面層１４は、その外周縁部の内側に位置する領域が体側部側よりも狭い所定の幅にわたって加熱・加圧成形されている。
【００４５】
さらに、内面層１４は、人体のバスト１８の基底部（輪郭部）３０を保持しつつ当該バスト基底部３０を人体の中央部寄り且つ上方の位置へ移動させ、外面層１３の外面形状の基礎を形成する基礎構造体である。更に説明すると、内面層１４は、図１、図３及び図４に示すように、外周縁のうち、人体のバスト１８の基底部３０に対応した領域３１が、バストカップ１０を装着する前の状態における人体のバスト１８の輪郭部３０より人体の中央部寄り且つ上方の位置に配置されている。
【００４６】
人体のバスト１８は、図６に実線で示すように、基本的に体型完成時においても、バスト１８にボリュームがあればある程、バストトップＴの位置は、円錐形状で近似されるバスト１８の中央では無く、下方で且つ人体の体側部寄りに位置し、等高線で表現すればバストトップＴの下部は等高線の間隔が狭く、上部は等高線の間隔が広くなる状態（下垂状態）にある。しかるに、人体のバスト１８は、下垂状態にあることから、バストトップＴの上部は、既に緊張状態であり、図６中矢印Ｃで示すように、バストトップＴを更に引き下げることは基本的に無理である。また、人体のバスト１８は、胸囲も健康であればある程、同図中矢印Ｄで示すように、人体中心部から体側部に向けて開かせることには同じく無理がある。
【００４７】
一方、人体のバスト１８は、上述したＣ方向及びＤ方向と反対の方向には人体皮脂が緩みをもっており、バストトップＴの下部から体側部にわたる領域は、上部並びに人体の中心部に向けて、最低でも１〜２ｃｍ移動可能であり、年齢が高まるにつれてその移動量は４〜５ｃｍ以上にもなる。それに伴って、人体のバスト１８は、基底部３０のバストトップＴの下部から体側部にわたる領域を、上部並びに人体の中心部に向けて移動させることが可能である。
【００４８】
この人体のバスト１８が有する無理のない緩みの範囲において、本実施の形態に係るバストパッド１０（バストカップ２０）は、より三次元化されたパターンの上、当該バスト基底部３０の移動を促すバスト体側部下部並びに体側部を支持する機能を有する。バストパッド１０を着用した後の状態においては、図６に破線で示すように、バスト基底部３０からバストトップＴまでの距離Ｌ１が距離Ｌ１’へと拡大するとともに、バストトップＴからバスト上部までの距離Ｌ２が距離Ｌ２’へと縮小する。その結果、人体のバスト基底部３０及びバストトップＴは、人体の上部且つ中央部寄りの位置３１及びＴへと移動することとなる。
【００４９】
また、上記内面層１４と外面層１３との間には、図１に示すように、両層１３、１４の外周縁部１３ａ、１３ｂ、１４ａ、１４ｂを加熱融着や接着剤による接着等の手段で一体的に接合することにより中空層１５が形成されている。この中空層１５は、内面層１４が通気性を有しているため、内面層１４の変形に合わせて容積が変化することが可能となっている。バストカップ２０を装着したブラジャー１を着用する前の状態では、内面層１４はその中央部１４ｃが平坦状に形成されているため、相対的に大きな容積を有している。
【００５０】
さらに説明すると、上記中空層１５は、図７に示すように、着用時においては、人体のバスト１８により内面層１４が押圧されて外面層１３の内側に接触して消滅した状態となる。
【００５１】
また、バストカップ２０を装着したブラジャー１を着用した状態において、中空層１５の形状は、外面層１３のサイズによって異なった形状に変形する。即ち、図４及び図５に示すように、外面層１３のサイズが内面層１４のカップサイズに対して大きく設定されている場合には、着用時において、外面層１３と内面層１４との間に中空層１５が残った状態となる。
【００５２】
この中空層１５は、外面層１３のサイズにもよるが、例えば、そのバストトップ部Ｐにおける間隙が[１２〜１６ｍｍ（１カップサイズが６〜８ｍｍ）−外側のパッド体１３の厚さ]となる。一方、上記中空層１５は、図１、図４、図５に示すように、未着用時においては、上記の間隙[１２〜１６ｍｍ（１カップサイズが６〜８ｍｍ）−外側のパッド体１３の厚さ]に対して、（１０〜２０ｍｍ−内側のパッド体１４の厚さ）に相当する間隙だけ大きい値となる。
【００５３】
また、上記中空層１５は、実際に着用した際に女性のバストに押されて内面層１４が外側に向けて移動することにより、上述したように装着する前の状態に比較して容積（間隙）が減少するか、又は内面層１４の外面が外面層１３の内面に接触することにより容積が略ゼロとなる。
【００５４】
バストカップ２０の内面サイズと外面サイズとの関係から割り出される中空層１５の空間は、内面サイズより外面サイズがワンサイズ大きい場合、原則として着用時における内面層１４の膨張、拡張空間の範囲であり、着用後は消滅する。少なくとも外面サイズが１．５サイズ以上大きくなければ、中空層１５の空間は残らない。これは、外面層１３の厚みと内面層１４の厚さで必達される。よって、最低２サイズ以上大きい構成が望ましい。
【００５５】
但し、２サイズ以下である場合であっても、外面層１３の構成をより柔軟な構成としたい場合、外面層１３の剛性が高く厚みを要しない材質からなる場合、ソフトな着用感を得る場合、軽量化を求めるメリットを得る場合などには、有効である。
【００５６】
以上の構成において、この実施の形態に係るバストパッドを適用した女性用衣料としてのブラジャーの場合には、次のようにして、着用感を損ねることなくバストカップのサイズを女性の実際のバストサイズよりも豊かに見せるとともに、バスト形状を理想とする形状に近づけることが可能となっている。
【００５７】
すなわち、バストパッド１０をブラジャー１に装着して着用すると、内面層１４は、図７に示すように、女性のバスト１８の形状に倣って無理なく変形してフィットする。その際、中空層１５内の空気は、例えば、内面層１４を通して排出される。また、バストパッド１０の外面層１３は、保形性を有しており、バストカップ部２、３のサイズを女性の実際のバストサイズよりも豊かに見せることが可能となる。
【００５８】
さらに、上記バストパッド１０は、図３（ａ）に示すように、その外面層１３及び内面層１４の基底部３１が人体のバスト基底部３０よりも人体の中央部寄りで且つ上方に位置するように構成されている。そのため、バストパッド１０を着用した着用者は、バスト１８の基底部３１が人体の中央部寄りで且つ上方に変位し、更に、当該バスト基底部３１に対応して形成された外面層１３の外面形状に倣った形状に補正される。
【００５９】
したがって、上記バストパッド１０は、内面層１４によってバスト１８の基底から人体の中央部寄りで且つ上方に位置するように移動させるものであるため、外面層１３は、内面層１４との協働により一層自然な形でバストの形状を補正することが可能となる。
【００６０】
更に説明すると、この実施の形態に係るバストパッド１０は、図１に示すように、内面層１４の周縁部１４ａ、１４ｂが外面層１３の周縁部１３ａ、１３ｂと一体的に接合されて、外面層１３の周縁部１３ａ、１３ｂと協働することで、内面層１４がバスト１８の基底部３０を人体の中央部寄りで且つ上方の位置３１へと移動させる機能を果たす。
【００６１】
一方、外面層１３は、内面層１４によって人体の中央部寄りで且つ上方に移動されたバスト１８の基底部３１をベースとして、バストトップＰを人体の中央部寄りで且つ上方に移動させた位置に形成することが可能となる。したがって、バストパッド１０を着用した場合には、図７に示すように、人体の中央部寄りで且つ上方に移動された人体１８のバスト１８に対して、更に人体の中央部寄りで且つ上方に移動させた位置にバストトップＰを設定することが可能となる。そのため、従来のバストパッドでは、実現することができなかった人体美学的に理想に近い形状のバスト形状を創造することができる。
【００６２】
実施の形態２
図９はこの発明の実施の形態２を示すものであり、前記実施の形態と同一の部分には同一の符号を付して説明すると、この実施の形態２は、バストパッドが、バストカップ部に配置されるバストパッド体と、当該バストパッド体を身頃体と接続するための接続代とを備-えたキャップ型であるように構成したものである。
【００６３】
すなわち、このバストパッド１０は、図９に示すように、バストカップ部２、３に配置されるバストパッド１０そのものからなるバストパッド体と、当該バストパッド体１０を図示しない身頃体と接続するため、当該バストパッド体１０の下端縁に位置するバスト基底部３１に沿って外周端に設けられた接続代４０（図中、ハッチングを施した部分）を備えている。更に説明すると、二次元のバスト基底（水平化）パターンによる接続代と三次元化のバスト基底（湾曲化）パターンによる接続代の角度は、ベースが異なることから対比できないが、バスト輪郭中心部から下部にかけては、略同一的平面感覚であるが、当該下部から体側部にわたる角度は大きく異なる。即ち、本実施の形態では、体側部稜線と一線となる。
【００６４】
バストパッド１０の接続代４０は、図９（ｂ）に示すように、身頃体と縫着等の手段により接続される部位であり、外周端１３ａ’、１４ａ’が極端に薄くなるテーパー状に形成されている。
【００６５】
その他の構成及び作用については、前記実施の形態と同様であるので、その説明を省略する。
【００６６】
実施の形態３
図１０はこの発明の実施の形態２を示すものであり、前記実施の形態と同一の部分には同一の符号を付して説明すると、この実施の形態２は、バストパッドをブラジャーと独立した製品として使用するように構成したものであり、外面層との形状を一つとするノンパッドタイプのバストカップを構成するブラジャーに適用したものである。図１０（ａ）はブラジャ−１を示す一部破断の斜視構成図、同図（ｂ）はバストカップ部を示す裏面構成図、同図（ｃ）はバストパッドをそれぞれ示すものである。
【００６７】
すなわち、このブラジャー１は、図１０に示すように、原則として、バストパッド１０をバストカップ部２、３に挿入するか又は当てがう事が可能なカップ部の容量を持ったノンパッド形式のバストカップ構成のブラジャーである。この場合、ブラジャー１は、バストカップ部２、３が伸張性を有する成形編みのブラジャーからなるものであることが望ましい。但し、ブラジャー１は、バストパッド１０を保持する保持力を有していない場合、人体のバストのサイズアップ機能に変わりはないが、人体のバスト基底部３０の移動力が低下する虞れがあるため、バストパッド１０の保持力を備えたものであることが望ましい。バストパッド１０としては、例えば、キャップ型のものであって接合代を有しないものが用いられる。当該パッド体は、キャップ型が一般的であるが、機能を発揮するためには、接続代及び身頃部を形成するバンドウ型が機能的に勝るため望ましい。
【００６８】
上記ブラジャー１には、図１０に示すように、例えば、バストカップ部２、３の裏面側にバストパッド１０を挿入する開口部５０が設けられる。また、ブラジャー１には、バストカップ部２、３にバストパッド１０の挿入を前提とする伸張性を付与し、バストパッド１０を挿入せずに使用可能である日常使用するブラジャー兼用としても良い。なお、図１０において、符号５１、５２はバストカップ部２、３を構成する表地及び裏地をそれぞれ示している。
【００６９】
その他の構成及び作用については、前記実施の形態と同様であるので、その説明を省略する。
【００７０】
実施の形態４
図１１はこの発明の実施の形態４を示すものであり、前記実施の形態と同一の部分には同一の符号を付して説明すると、この実施の形態４では、外面層及び／又は内面層に機能を付加する素材をコーティングするように構成したものである。
【００７１】
この実施の形態３に係るバストパッド１０は、図１１（ａ）に示すように、製品としてのブラジャー１のバストカップ部２、３の外面（表面及び裏面）を構成する布状の外装素材６１、６２を、バストパッド１０の外面層１３の表面と内面層１４の裏面に接着等の手段によって一体的にコーティング（被覆）したものである。なお、内面層１４の裏面にコーティングされる外装素材６２は、内面層１４と同様の伸張性を有するものが用いられる。
【００７２】
また、外面層１３の表面には、黄変防止用素材等からなる中間素材を、外装素材６１の内側にコーティングするように構成しても良い。
【００７３】
また、図１１（ｂ）は本実施の形態３に係るバストパッド１０の変形例を示すものである。このバストパッド１０は、バストカップ１０の内面層１４の外面（裏面）に、当該内面層１４としての付加価値を持った素材６３、例えば、衛生面をカバーする吸汗性を有するパイル編地等からなる素材や、物性的肌当たりを付加する柔軟性を有するニット編地等からなる素材を一体的にコーティング（被覆）したものである。
【００７４】
さらに、図１１（ｃ）は本実施の形態３に係るバストパッド１０の更なる変形例を示すものである。このバストパッド１０は、外面層１３の素材として柔軟性を有する素材を採用した場合や、外面層１３の補正力を更に高めるため、表着に響かず、補正力のある薄地の布巾又は編み地並びにフィルム体等からなる機能素材６４、６５を、外面層１３の体側部側から先端部にわたって接着等の手段により一体的に被覆したものである。
【００７５】
このように、この実施の形態３に係るバストパッド１０は、外面層１３及び内面層１４の双方、又は一方に機能を付加する素材をコーティングするように構成したので、バストパッド１０を使用したブラジャー１等の女性用衣料の製造を容易にすることが可能であるとともに、種々の機能を付加することができ、バストパッド１０としての機能価値を高めることが可能となる。
【００７６】
その他の構成及び作用については、前記実施の形態と同様であるので、その説明を省略する。
【符号の説明】
【００７７】
１：ブラジャー、２，３：バストカップ部、１０：バストパッド、１３：外面層、１４：内面層、１５：中空層。
【図１】
0003188983.tif 000003
【図２】
0003188983.tif 000004
【図３】
0003188983.tif 000005
【図４】
0003188983.tif 000006
【図５】
0003188983.tif 000007
【図６】
0003188983.tif 000008
【図７】
0003188983.tif 000009
【図８】
0003188983.tif 000010
【図９】
0003188983.tif 000011
【図１０】
0003188983.tif 000012
【図１１】
0003188983.tif 000013
【手続補正書】
【提出日】平成25年12月16日(2013.12.16)
【手続補正１】
【補正対象書類名】実用新案登録請求の範囲
【補正対象項目名】請求項４
【補正方法】変更
【補正の内容】
【請求項４】
前記外面層は、合成樹脂製発泡体、ラテックス、不織布、ダブルラッセル編地のいずれかからなることを特徴とする請求項１乃至３のいずれかに記載のバストパッド。
【手続補正２】
【補正対象書類名】明細書
【補正対象項目名】００１４
【補正方法】変更
【補正の内容】
【００１４】
又、請求項４に記載された考案は、前記外面層は、合成樹脂製発泡体、ラテックス、不織布、ダブルラッセル編地のいずれかからなることを特徴とする請求項１乃至３のいずれかに記載のバストパッドである。
【手続補正３】
【補正対象書類名】明細書
【補正対象項目名】００３４
【補正方法】変更
【補正の内容】
【００３４】
この実施の形態では、外面層１３の材料として、発泡ポリウレタン層の表面（外面）に黄変防止と滑り感を高める目的でトリコット地等からなる図示しない生地を積層した二層構造のものを用いている。また、外面層１３としては、合成樹脂製発泡体から成るもの以外に、ラテックス、不織布、ダブルラッセル編地等の素材を採用しても良い。